(57)【特許請求の範囲】
【請求項１】
車両に搭載され、車両のアクセサリスイッチがオフからオンへ切り替わった場合に起動する車載器であって、
アクセサリ電源がオフである間はバッテリの電力を用いてリアルタイムな時刻情報を保持しないように構成されており、
有料道路の利用料金を決済するためのＩＣカードが装着されるカードスロット部（２）と、
有料道路の出入口に設けられている路側機と通信する通信部（４）と、
測位衛星からの電波を受信する測位電波受信機（５）と、
前記測位電波受信機が受信した前記測位衛星からの電波に基づいて、現在の日付を取得する日付取得部（１２）と、
前記日付取得部が取得した日付を、最新日付情報として、不揮発性の記憶媒体である不揮発性メモリ（６）に記録する記録処理部（１３）と、
前記カードスロット部に装着されている前記ＩＣカードの有効期限として設定されている日付を示す有効期限情報を取得する期限情報取得部（１１）と、
前記期限情報取得部が取得している前記有効期限情報に基づいて、前記ＩＣカードの有効期限が切れているか否か、及び、有効期限が切れるまでの残り日数が所定の閾値未満であるか否かを判定する期限判定部（１４）と、
前記期限判定部によって前記ＩＣカードの有効期限が切れていると判定された場合には、ユーザに対して前記ＩＣカードの有効期限が切れていることを通知するとともに、前記期限判定部によって前記残り日数が前記閾値未満であると判定された場合には、ユーザに対して、前記ＩＣカードの有効期限までの残り日数が所定の閾値未満であることを通知する通知処理部（１５）と、を備え、
前記期限判定部は、前記車載器が起動した場合には、前記不揮発性メモリに記録されている前記最新日付情報を用いて前記ＩＣカードの有効期限が切れているか否かについては判定する一方、前記日付取得部が前記測位衛星からの電波に基づいて現在の日付を取得するまでは前記残り日数が前記閾値未満であるか否かの判定は実施しないように構成されており、
さらに前記期限判定部は、前記日付取得部が前記測位衛星からの電波に基づいて現在の日付を取得した場合には、前記日付取得部が新たに取得した現在の日付を用いて有効期限が切れるまでの残り日数を算出するとともに、当該残り日数が所定の閾値未満であるか否かを判定するように構成されていることを特徴とする車載器。
【請求項２】
請求項１において、
前記期限判定部は、前記車載器が起動した後、前記日付取得部が前記測位衛星からの電波に基づいて現在の日付を取得した場合には、前記期限情報取得部が取得している前記有効期限情報と、前記日付取得部が新たに取得した現在の日付とを用いて、前記ＩＣカードの有効期限が切れているか否かの判定を再び実施するように構成されている車載器。
【請求項３】
請求項１又は２において、
前記通知処理部は、前記車載器の起動時点において前記不揮発性メモリに記録されている前記最新日付情報と前記有効期限情報との比較の結果、前記期限判定部が前記ＩＣカードの有効期限は切れていると判定したことに基づいて、前記ＩＣカードの有効期限が切れていることを通知した場合には、前記日付取得部が取得した現在の日付と前記有効期限情報とを比較した結果、前記ＩＣカードの有効期限が切れていると判定された場合であっても、再びは前記ＩＣカードの有効期限が切れている旨の通知を実施しないことを特徴とする車載器。
【請求項４】
請求項１から３の何れか１項において、
前記通知処理部は、前記期限判定部が前記不揮発性メモリに記録されている前記最新日付情報に基づいて前記ＩＣカードの有効期限は切れていないと判定した場合には、前記ＩＣカードの有効期限として設定されている日付をユーザに通知することを特徴とする車載器。
【発明の詳細な説明】
【技術分野】
【０００１】
本発明は、有料道路の利用料金を自動的に決済するシステムで用いられる車載器に関する。
【背景技術】
【０００２】
従来、有料道路の出入口付近に設けられた路側機と、車両に設けられた車載器とが無線通信を実施することで、有料道路の通行料金を自動的に決済するシステム（自動決済システムとする）がある。
【０００３】
ユーザが、この自動決済システムを利用するためには、当該自動決済システムを利用するためのＩＣカードを車載器に装着している必要があり、仮にＩＣカードが車載器に装着されていなければ、有料道路への進入（又は有料道路からの退出）ができない構成となっている。また、ＩＣカードには有効期限が設定されており、車載器に装着されているＩＣカードの有効期限が切れている場合にも、有料道路の入口（又は出口）を通過できない。
【０００４】
特許文献１には、ＩＣカードにおいて利用履歴情報として記録されている、有料道路を前回利用した際の年月日（最新利用日とする）と、ＩＣカードの有効期限とを比較することで、有効期限に関する情報をユーザに通知する技術が開示されている。例えば、最新利用日からＩＣカードの有効期限となっている日付までの残り日数を算出し、残り日数が所定の閾値以下である場合には、有効期限が近づいている旨の通知を実施する。
【先行技術文献】
【特許文献】
【０００５】
【特許文献１】特許第４６８７８０６号公報
【発明の概要】
【発明が解決しようとする課題】
【０００６】
特許文献１の装置では、有料道路を利用したときに、利用履歴としての時刻情報が更新される。このため、ユーザの有料道路の利用頻度が少ない場合、利用履歴としての年月日情報と、現実の年月日と乖離が大きくなりやすい。その結果、実際には有効期限に近づいていたり、有効期限が切れていたりするにも関わらず、有効期限に関する通知を実施しない場合が生じる。また、実際には有効期限が切れているにもかかわらず、有効期限が接近している（すなわち、わずかに残っている）ような通知をしてしまう場合が生じうる。
【０００７】
仮に、アクセサリ電源がオフとなっている場合には、バッテリの電力を用いてリアルタイムな時刻を保持するような態様とすれば、有効期限に関する誤通知を抑制することができる。しかし、そのような態様においては、駐車中における暗電流が増加してしまう。また、リアルタイムな日付を計測するためのモジュールを車載器に追加する必要があるため、コストの増大を招いてしまう。つまり、暗電流抑制及びコスト抑制の観点からは、バッテリの電源を用いてリアルタイムな日付を保持する態様は避けたい。
【０００８】
本発明は、この事情に基づいて成されたものであり、その目的とするところは、ＩＣカードの有効期限が切れているか否かをより精度よく判定することができる車載器を提供することにある。
【課題を解決するための手段】
【０００９】
その目的を達成するための本発明は、車両に搭載され、車両のアクセサリスイッチがオフからオンへ切り替わった場合に起動する車載器であって、アクセサリ電源がオフである間は、バッテリの電力を用いてリアルタイムな時刻情報を保持することは実施しないように構成されており、有料道路の利用料金を決済するためのＩＣカードが装着されるカードスロット部（２）と、有料道路の出入口に設けられている路側機と通信する通信部（４）と、測位衛星からの電波を受信する測位電波受信機（５）と、測位電波受信機が受信した測位衛星からの電波に基づいて、現在の日付を取得する日付取得部（１２）と、日付取得部が取得した日付を、最新日付情報として、不揮発性の記憶媒体である不揮発性メモリ（６）に記録する記録処理部（１３）と、カードスロット部に装着されているＩＣカードの有効期限として設定されている日付を示す有効期限情報を取得する期限情報取得部（１１）と、期限情報取得部が取得している有効期限情報に基づいて、ＩＣカードの有効期限が切れているか否か、及び、有効期限が切れるまでの残り日数が所定の閾値未満であるか否かを判定する期限判定部（１４）と、期限判定部によってＩＣカードの有効期限が切れていると判定された場合には、ユーザに対してＩＣカードの有効期限が切れていることを通知するとともに、期限判定部によって残り日数が閾値未満であると判定された場合には、ユーザに対して、ＩＣカードの有効期限までの残り日数が所定の閾値未満であることを通知する通知処理部（１５）と、を備え、期限判定部は、車載器が起動した場合には、不揮発性メモリに記録されている最新日付情報を用いてＩＣカードの有効期限が切れているか否かについては判定する一方、日付取得部が測位衛星からの電波に基づいて現在の日付を取得するまでは残り日数が閾値未満であるか否かの判定は実施しないように構成されており、さらに期限判定部は、日付取得部が測位衛星からの電波に基づいて現在の日付を取得した場合には、日付取得部が新たに取得した現在の日付を用いて有効期限が切れるまでの残り日数を算出するとともに、当該残り日数が所定の閾値未満であるか否かを判定するように構成されていることを特徴とする。
【００１０】
以上の構成では、期限判定部は、不揮発性メモリに格納されている最新日付情報に基づいて、カードスロット部に装着されているＩＣカードの有効期限が切れているか否かを判定する。ここで用いられる最新日付情報が示す日付とは、前回又は前回以前に車載器が起動している間において、測位電波受信機が受信した電波に基づいて日付取得部が取得した日付である。
【００１１】
一般的に、例えば地下駐車場やトンネルなどの測位電波受信機が電波を受信出来ない環境に車両が存在する場合、日付取得部は、現在の日付を取得することはできない。しかしながら、車両が走行を開始してから駐車するまでの間、測位電波受信機が測位衛星からの電波を受信できない状況であり続ける可能性は小さい。すなわち、アクセサリスイッチがオンとなってからオフとなるまでの間、言い換えれば走行を開始してから駐車するまでの間には、その時の日付を取得できることが期待できる。したがって、不揮発性メモリ６に格納されている最新日付情報とは、前回車両が走行した時の日付を表す可能性は高く、車両が走行する度に更新されることが期待される。
【００１２】
また、車両が走行する頻度は、車両が有料道路を利用する頻度よりも多くなる。したがって、以上の構成によれば特許文献１の構成よりも、ＩＣカードの有効期限が切れているか否かの判定の基準として用いる日付が実際の日付と乖離してしまう恐れを低減できる。つまり、ＩＣカードの有効期限が切れているか否かの判定をより精度よく実施することができる。
【００１３】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１４】
【図１】本実施形態に係る車載器１００の概略的な構成の一例を示すブロック図である。
【図２】日付記録処理部１３が実施する日付記録処理を説明するためのフローチャートである。
【図３】制御部１が実施する起動関連処理を説明するためのフローチャートである。
【図４】制御部１が実施する再通知関連処理を説明するためのフローチャートである。
【発明を実施するための形態】
【００１５】
以下、本発明の実施形態について、図を用いて説明する。本実施形態に係る車載器１００は、車両に搭載されており、図１に示すように制御部１、カードスロット部２、カードインターフェース部（以降、カードＩＦ部）３、狭域通信部４、ＧＮＳＳ受信機５、不揮発性メモリ６、表示部７、スピーカ８、及び電源回路部９を備える。制御部１は、車載器１００全体の動作を制御するものであって、カードスロット部２、カードＩＦ部３、狭域通信部４、ＧＮＳＳ受信機５、不揮発性メモリ６、表示部７、スピーカ８、及び電源回路部９のそれぞれと通信可能に接続されている。また、制御部１は、図示しない車両内ネットワークと接続されて、アクセサリ電源スイッチ（以降、ＡＣＣスイッチ）の接続状態（オン／オフ）を示すＡＣＣ信号を取得可能に構成されている。ＡＣＣが請求項に記載のアクセサリスイッチに相当する。
【００１６】
この車載器１００は、有料道路の出入口付近に設けられている路側機と無線通信を実施することによって、有料道路の走行区間に応じた料金を自動的に決済するための処理（決済関連処理とする）を行うものである。なお、決済関連処理は、有料道路の入口ゲートを通過する際に行われる入口通過処理や、出口ゲートを通過する際に行われる出口通過処理などを含む。
【００１７】
車載器１００が上記決済関連処理を実施するためには、決済関連処理を実施するためのＩＣカード３００が車載器１００に装着されている必要があり、車載器１００が備えるカードスロット部２は、そのＩＣカード３００が挿入されるための構造である。すなわち、カードスロット部２は、ユーザによって当該ＩＣカードが挿抜自在な構造となっている。ここでは便宜上、ユーザが保有するＩＣカード３００が挿入されているものとする。
【００１８】
上記決済関連処理に用いられるＩＣカード３００には、書き換え可能、かつ、不揮発性の記憶媒体が備えられてあって、当該記憶媒体には、通行料金を請求するための情報（例えばクレジット番号等）や、当該カード番号、有料道路の利用履歴を示す利用履歴情報、車載器１００がＩＣカード３００の認証を行うための認証データなどが格納されている。利用履歴情報には、例えば、利用した出入り口の情報や、請求額、利用日時等を含まれる。
【００１９】
また、ＩＣカード３００には有効期限が設定されており、ＩＣカード３００がカードスロット部２に装着されている場合であっても、その有効期限が切れている場合には、ユーザは、有料道路の利用料金を自動的に決済するサービスを享受できない仕様となっている。当該有効期限として設定されている年月日を示す有効期限情報についても、ＩＣカード３００の記憶媒体に格納されている。以下、車載器１００の構成について、より詳細に説明する。
【００２０】
カードＩＦ部３は、制御部１の指示に基づいて、カードスロット部２に挿入されているＩＣカード３００の記憶媒体にアクセスし、当該記憶媒体に格納されている情報を読み取ったり書き込んだりする処理を行う。例えばカードＩＦ部３は、ＩＣカード３００から認証データや有効期限情報を読み取ったり、ＩＣカード３００に利用履歴情報を書き込んだりする。また、カードＩＦ部３は、ＩＣカード３００がカードスロット部２に挿入されているか否かを検知する。
【００２１】
狭域通信部４は、制御部１からの指示に基づいて、有料道路に利用区間に応じた課金をユーザに対して行うための種々の情報を路側機に送信するとともに、路側機から送信される情報を受信して、逐次制御部１に提供する。狭域通信部４は、路側機と通信するためのアンテナ及び通信回路によって実現されればよい。
【００２２】
ＧＮＳＳ受信機５は、ＧＮＳＳ（Ｇｌｏｂａｌ  Ｎａｖｉｇａｔｉｏｎ  Ｓａｔｅｌｌｉｔｅ  Ｓｙｓｔｅｍ）で用いられる衛星（ＧＮＳＳ衛星とする）からの電波を受信することで、ＧＮＳＳ受信機５の現在位置を示す現在位置情報や、現在時刻（年月日を含む）を示す時間情報を取得する。ＧＮＳＳ受信機５が取得した時間情報は、制御部１に提供される。なお、車載器１００が起動してからＧＮＳＳ受信機５が現在の時間情報を取得するまでには、周囲の環境や電波の状態等によって、数分〜数十分程度の時間がかかる場合がある。ＧＮＳＳ衛星が請求項に記載の測位衛星の一例に相当し、ＧＮＳＳ受信機が請求項に記載の測位電波受信機の一例に相当する。
【００２３】
不揮発性メモリ６は、書き込み・読み出し可能な周知の不揮発性の記憶媒体である。不揮発性メモリ６は、例えば周知のフラッシュメモリを用いて実現されればよい。表示部７は、制御部１からの指示に基づいて画像やテキストを表示する。例えば表示部７は、液晶ディスプレイや有機ＥＬディスプレイ、電子ペーパー等を用いて実現されればよい。スピーカ８は、制御部１から入力された音声信号を音声（単なる音を含む）に変換して出力する。
【００２４】
なお、表示部７及びスピーカ８は、カードスロット部２に装着されているＩＣカード３００の有効期限に関する情報をユーザに通知するために用いられる。したがって、表示部７はユーザの視覚を介して、有効期限に関する情報をユーザに通知するものであればよく、例えば表示部７は、ＬＥＤ等のインジケータであってもよい。その場合には、インジケータの点灯色や点滅の有無などで、有効期限に関する情報を提示すればよい。また、ＩＣカード３００の有効期限に関する通知は、ユーザの視覚及び聴覚の少なくとも何れか一方を利用して実現されればよい。したがって、車載器１００は、表示部７及びスピーカ８の両方を備えている必要はなく、何れか一方のみを備える構成となっていても良い。
【００２５】
電源回路部９は、車載バッテリ２００と直接接続されており、所定の直流電源を生成して車載器１００の各部に供給する。なお、電源回路部９は、制御部１からの指示に基づいて、車載器１００の各部へ電力を供給／遮断する。
【００２６】
制御部１は、通常のコンピュータとして構成されており、内部には周知のＣＰＵ、ＲＯＭ、ＲＡＭ、Ｉ／Ｏ及びこれらの構成を接続するバスライン（いずれも図示せず）が備えられている。ＲＯＭには、制御部１が各種の処理を実行するためのプログラムが書き込まれており、このプログラムに従ってＣＰＵ等が各種演算処理を実行することによって、種々の機能を実現する。
【００２７】
この制御部１は、上記プログラムを実行することによって実現される機能ブロックとして、カードアクセス処理部１１、時間情報取得部１２、日付記録処理部１３、有効期限判定部１４、及び通知処理部１５を備える。なお、制御部１が実行する機能の一部又は全部は、一つ或いは複数のＩＣ等によりハードウェア的に実現されてもよい。
【００２８】
カードアクセス処理部１１は、カードＩＦ部３を介して、カードスロット部２に装着されているＩＣカード３００の情報を取得するとともに、ＩＣカード３００に種々の情報を書き込む処理を行う。例えば、カードアクセス処理部１１は、ＩＣカード３００の有効期限を取得する。このカードアクセス処理部１１が請求項に記載の期限情報取得部に相当する。
【００２９】
時間情報取得部１２は、ＧＮＳＳ受信機５から提供される時間情報を取得する。時間情報取得部１２が取得した時間情報は、制御部１が備えるＲＡＭなどに一時的に保持されれば良い。この時間情報取得部１２が請求項に記載の日付取得部に相当する。日付記録処理部１３は、時間情報取得部１２が取得した時間情報に含まれる年月日（つまり現在の年月日）を、最新日付情報として不揮発性メモリ６に格納する処理（日付情報記録処理とする）を実施する。なお、本実施形態では、最新日付情報は、現在の年、月、日を含むものとするが、これに限らない。年に関する情報は含んでいなくてもよい。また、曜日や、時刻（時、分、秒）に関する情報を含んでいても良い。なお、不揮発性メモリ６には、初期の最新日付情報として、当該車載器１００が製造された日付など、適宜設計される年月日が格納されていればよい。日付記録処理部が請求項に記載の記録処理部に相当する。
【００３０】
有効期限判定部１４は、カードスロット部２に挿入されているＩＣカード３００の有効期限に対する現況を判定する。通知処理部１５は、有効期限判定部１４による判定結果に応じた内容の通知を行う。この有効期限判定部１４及び通知処理部１５の作動については後に詳述する。有効期限判定部１４が請求項に記載の期限判定部に相当する。
【００３１】
なお、制御部１が備える機能は、上述したものに限らない。例えば、制御部１は、ＡＣＣスイッチがオフとなったことを示すＡＣＣ信号が入力された場合には、ＩＣカード３００の抜き忘れの警告処理や、後述の日付記録処理等といった所定の処理が完了した後に、給電を停止するように電源回路部９に指示する。また、ＡＣＣスイッチのオンを示す信号が入力されると、車載器１００を起動させる処理（起動処理とする）を実行し、起動状態となる。
【００３２】
次に、制御部１が実施する各種の処理について、種々のフローチャートを用いて説明する。まずは、日付記録処理部１３が実施する日付記録処理について、図２に示すフローチャートを用いて説明する。
【００３３】
この図２に示すフローチャートは、ここでは一例として車両のＡＣＣスイッチがオフになった場合に開始されるものとする。ＡＣＣスイッチがオフとなったことは、ＡＣＣ信号をもとに判定されればよい。なお、図２に示すフローチャートは他の態様として、ＡＣＣスイッチがオンとなっている状態において、一定時間（例えば１分）毎に実施する態様としても良いし、又は、ＧＮＳＳ受信機５から時間情報が提供された場合に開始されても良い。
【００３４】
まず、図２のステップＳ１０１では、今回の走行中において時間情報取得部１２によって現在の時間情報が取得できているか否かを判定する。なお、今回の走行とは、ＡＣＣスイッチがオンとなってからオフとなるまでの走行を指す。時間情報取得部１２によって現在の時間情報が取得できているか否かは、現在の時間情報がＲＡＭに格納されているかなどによって判定されれば良い。また、時間情報を取得できているか否かを示すフラグを用いて判定しても良い。
【００３５】
ＡＣＣスイッチがオンとなっている間に、時間情報取得部１２によって現在の時間情報が取得できている場合には、ステップＳ１０１がＹＥＳとなってステップＳ１０２に移る。一方、時間情報取得部１２によって現在の時間情報が取得できている場合には、ステップＳ１０１がＮＯとなって本フローを終了する。ステップＳ１０１がＮＯとなる場合とは、例えば、ＡＣＣスイッチがオンとなってからＧＮＳＳ受信機５が時間情報を取得する前に、ＡＣＣスイッチが再びオフとなった場合である。
【００３６】
ステップＳ１０２では、時間情報取得部１２が取得した時間情報に基づいて、現在の年月日を示す最新日付情報を不揮発性メモリ６に保存して本フローを終了する。なお、この日付記録処理が完了すると、制御部１は電源回路部９に対して給電を停止するように指示し、電力の供給を停止させる。これにより駐車中における暗電流を抑制する。
【００３７】
なお、時間情報取得部１２によって現在の時間情報が取得できていない場合、すなわち、ステップＳ１０１がＮＯとなった場合には、起動処理において不揮発性メモリ６から読み出した最新日付情報を、再度不揮発性メモリ６に保存すればよい。すなわち、ＡＣＣスイッチがオフとなった時点において現在の時間情報が取得できている場合には、その時間情報に示される現在の年月日を最新日付情報として保存する一方、現在の時間情報が取得できていない場合にはＡＣＣスイッチがオンとなった時点において保存されていた最新日付情報がそのまま保存される態様とすればよい。
【００３８】
次に、制御部１が実施する起動関連処理について図３に示すフローチャートを用いて説明する。この起動関連処理とは、ＡＣＣスイッチがオンとなってから、ＧＮＳＳ受信機５が時間情報を取得するまでの間に、カードスロット部２に装着されているＩＣカード３００の有効期限に関する情報をユーザに通知するための処理である。図３に示すフローチャートは、ＡＣＣスイッチがオンとなったことを示すＡＣＣ信号が制御部１に入力された場合に開始されればよい。
【００３９】
まず、ステップＳ２０１では起動処理を実施してステップＳ２０２に移る。このステップＳ２０１の起動処理には、例えば、ＲＯＭに格納されているプログラムや種々の設定パラメータの読み込み、ＧＮＳＳ受信機５や表示部７といった各部を起動させる処理等が含まれる。また、起動処理には、カードスロット部２に装着されているＩＣカード３００を認証する処理も含まれればよい。
【００４０】
ステップＳ２０２では有効期限判定部１４が、不揮発性メモリ６から最新日付情報を読み出してステップＳ２０３に移る。ステップＳ２０３ではカードアクセス処理部１１が、ＩＣカード３００の有効期限を、ＩＣカード３００から読み出してステップＳ２０４に移る。
【００４１】
ステップＳ２０４では有効期限判定部１４が、最新日付情報とＩＣカード３００の有効期限とを比較して、有効期限が切れているか否かを判定する。具体的には、最新日付情報としての日付が、有効期限として設定されている日付を超過している場合に、有効期限が切れていると判定する。有効期限が切れている場合には、ステップＳ２０４がＹＥＳとなってステップＳ２０５に移る。また、有効期限が切れていない場合には、ステップＳ２０４がＮＯとなってステップＳ２０６に移る。
【００４２】
ステップＳ２０５では通知処理部１５が、ＩＣカード３００の有効期限が切れていることを通知する処理（期限切れ通知処理とする）を実施して本フローを終了する。例えば、通知処理部１５は、期限切れ通知処理として、ＩＣカード３００の有効期限が切れていることをユーザに知らせる表示を表示部７に行わせる。また、通知処理部１５は、期限切れ通知処理として、ＩＣカード３００の有効期限が切れている旨のメッセージや警告音をスピーカ８から出力させてもよい。
【００４３】
ステップＳ２０６では通知処理部１５が、有効期限として設定されている日付をユーザに通知する処理（有効期限通知処理とする）を実施して本フローを終了する。例えば、通知処理部１５は、有効期限通知処理として、ＩＣカード３００の有効期限として設定されている日付を表示部７に表示させる。また、通知処理部１５は、有効期限通知処理として、ＩＣカード３００の有効期限として設定されている日付をスピーカ８から音声出力させてもよい。
【００４４】
＜本実施形態のまとめ＞
以上の構成では、ＡＣＣスイッチがオンとなって車載器１００が起動すると、有効期限判定部１４が、不揮発性メモリ６に最新日付情報として記録されている日時と、ＩＣカード３００の有効期限として設定されている日付とを比較して、ＩＣカード３００の有効期限が切れているか否かを判定する。
【００４５】
ここで用いられる最新日付情報は、前回又はそれ以前に車載器１００が起動状態となっている間にＧＮＳＳ受信機５が取得した、最新の時間情報に含まれる年月日である。ＧＮＳＳ受信機５が時間情報を取得するためには、当然ながらＧＮＳＳ衛星からの電波を受信する必要があり、仮に自車両が地下駐車場やトンネル等のＧＮＳＳ電波が届かない場所に存在する場合には、時間情報を取得することはできない。しかしながら、自車両が或る地点から別の地点へ走行する場合、その走行中においてずっとＧＮＳＳ受信機５がＧＮＳＳ衛星からの電波を受信できずにいる可能性は低い。したがって、一般的には走行を開始してから駐車するまでの間に、時間情報を取得できることが期待できる。なお、電波状況が悪い場合には、時間情報の取得に時間を要する場合があるが、やはり、一般的には走行を開始してから駐車するまでには、時間情報を取得できることが期待できる。
【００４６】
すなわち、不揮発性メモリ６に格納される最新日付情報は、前回車両が走行した時の日付を表すものであることが期待でき、また、車両が走行する度に更新されることも期待される。したがって、以上の構成によれば、前回走行時の日付に基づいて、ＩＣカード３００の有効期限が切れているか否かを判定できる。
【００４７】
ところで、特許文献１には、有料道路を前回利用した時の日付に基づいて、ＩＣカード３００の有効期限が切れているか否かを判定する態様が開示されている。しかしながら、車両が走行したからといって、必ずしも有料道路を利用するとは限らないため、ユーザの有料道路の利用頻度が少ない場合、利用履歴としての年月日情報と、現実の年月日と乖離が大きくなりやすい。その結果、実際には有効期限に近づいていたり、有効期限が切れていたりするにも関わらず、有効期限に関する通知を実施しない場合が生じる。また、実際には有効期限が切れているにもかかわらず、有効期限が接近しているような通知をしてしまう場合が生じうる。
【００４８】
このような特許文献１に対し、本実施形態の構成では、走行毎に、有効期限が切れているか否かの判定の基準として用いる日付が更新されることが期待できる。そのため、有効期限が切れているか否かの判定の基準として用いる日付が、実際の日付と乖離してしまう恐れを低減できる。つまり、特許文献１の構成よりも、有効期限が切れているか否かの判定をより精度よく実施することができる。
【００４９】
また、以上の構成によれば、不揮発性メモリ６に格納している最新日付情報を用いて、有効期限が切れているか否かの判定を行う。そのため、例えば車載器１００の起動直後といった、車載器１００に電力の供給が開始されてからＧＮＳＳ受信機５がＧＮＳＳ衛星からの電波に基づいて現在の時間情報を取得するまでの間に、有効期限が切れている旨の通知を実施することができる（図３  ステップＳ２０５）。
【００５０】
また、以上の構成では、車載器１００の起動時点において不揮発性メモリ６に格納されている最新日付情報（つまり前回走行時の日付）に基づいては、有効期限が近づいているか否かの判定、及びその判定結果に応じた期限直前通知処理は実施しない。これは、前回走行時においては有効期限が切れていなかったとしても、現時点においては、有効期限を超過している状態に遷移している可能性があるためである。実際には有効期限が切れているにも関わらず、有効期限が近づいている旨の通知をしてしまうと、ユーザに、まだ有効期限が切れておらず、わずかに日数が残っていると誤解させてしまう恐れがある。
【００５１】
つまり、本実施形態のように、前回以前の走行時において取得した最新日付情報に基づいては、有効期限が近づいている旨の通知を実施しないことによって、ユーザに、有効期限に対する誤った認識を与えてしまう恐れを低減することができる。
【００５２】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施することができる。
【００５３】
［変形例］
上述した実施形態では、車載器１００が起動してからＧＮＳＳ受信機５が時間情報を取得するまでに、カードスロット部２に装着されているＩＣカード３００の有効期限に関する通知を実施する態様を記載したが、これに限らない。起動関連処理を完了した後、ＧＮＳＳ受信機５が日付情報を取得した場合に、改めてＩＣカード３００の有効期限に関する通知を実施する態様（変形例１とする）としてもよい。
【００５４】
便宜上、ＧＮＳＳ受信機５が日付情報を取得した場合に、ＩＣカード３００の有効期限に関する通知を改めて実施するための一連の処理を、再通知関連処理と称し、この再通知関連処理について図４に示すフローチャートを用いて説明する。図４に示すフローチャートは、例えば、図３に示す起動関連処理が完了したことをトリガとして開始されればよい。また、他の態様として、ＧＮＳＳ受信機５から時間情報が提供されたことをトリガとして開始されても良い。
【００５５】
なお、起動関連処理において期限切れ通知処理（ステップＳ２０５）を実施した場合には、通知処理部１５はその旨を、例えば期限切れ通知処理を実施済みであるか否かを示すフラグなどを用いて保持しているものとする。また、他の態様として、起動関連処理において期限切れ通知処理（ステップＳ２０５）を実施している場合には、再通知関連処理を省略してもよい。前回走行時の日付に基づいて有効期限が切れていると判定した場合には、新しく取得する現在の日付を用いても有効期限が切れているという事実は変わらず、また、有効期限が切れている旨は既に通知済みであるからである。
【００５６】
まず、ステップＳ３０１では時間情報取得部１２が、ＧＮＳＳ受信機５から時間情報が提供されたか否かを判定する。未だ時間情報が提供されていない場合にはステップＳ３０１がＮＯとなってステップＳ３０１に戻る。つまり、ＧＮＳＳ受信機５から時間情報が提供されるまで、待機状態となる。そして、ＧＮＳＳ受信機５から時間情報が提供された場合には、ステップＳ３０１がＹＥＳとなってステップＳ３０２に移る。
【００５７】
ステップＳ３０２ではカードアクセス処理部１１がＩＣカード３００の有効期限を、ＩＣカード３００から読み出してステップＳ３０３に移る。ステップＳ３０３では有効期限判定部１４が、ステップＳ３０１で取得した最新の時間情報に含まれる日付と、ＩＣカード３００の有効期限とを比較して、有効期限が切れているか否かを判定する。
【００５８】
つまり、現在の日付が、有効期限として設定されている日付を超過している場合に、有効期限が切れていると判定する。有効期限が切れている場合には、ステップＳ３０３がＹＥＳとなってステップＳ３０４に移る。また、有効期限が切れていない場合には、有効期限まで残っている日数（残り日数）Ｄｒｍｎを算出し、ステップＳ３０６に移る。残り日数Ｄｒｍｎは、有効期限として設定されている日付から、現在の日付を差し引いた日数である。
【００５９】
ステップＳ３０４では、起動関連処理時において期限切れ通知処理（ステップＳ２０５）を実施したか否かを判定する。期限切れ通知処理を実施している場合には、ステップＳ３０４がＹＥＳとなって本フローを終了する。また、期限切れ通知処理を実施していない場合には、ステップＳ３０５に移り、ステップＳ２０５と同様の期限切れ通知処理を実施して本フローを終了する。
【００６０】
ステップＳ３０６では有効期限判定部１４が、残り日数Ｄｒｍｎが所定の閾値Ｄｔｈ未満となっているか否かを判定する。ここで用いる閾値Ｄｔｈは、まもなく有効期限が切れることをユーザに通知するための閾値であって、適宜設計されればよい。例えば閾値Ｄｔｈは、１０日や２０日などとすればよい。そして、残り日数Ｄｒｍｎが閾値Ｄｔｈ未満である場合にはステップＳ３０６がＹＥＳとなってステップＳ３０７に移る。一方、残り日数Ｄｒｍｎが閾値Ｄｔｈ以上である場合にはステップＳ３０６がＮＯとなって本フローを終了する。
【００６１】
ステップＳ３０７では通知処理部１５が、ＩＣカード３００の有効期限が近づいていることを通知する処理（期限直前通知処理とする）を実施して本フローを終了する。例えば、通知処理部１５は期限直前通知処理として、ＩＣカード３００の有効期限までの残り日数が、Ｄｔｈ未満であることをユーザに知らせる表示（画像やテキスト）を、表示部７に表示させる。また、通知処理部１５は、期限直前通知処理として、ＩＣカード３００の有効期限までの残り日数がＤｔｈ未満となっている旨のメッセージをスピーカ８から出力させてもよい。
【００６２】
このような変形例によれば、上述の実施形態と同様の効果を奏するとともに、ユーザが利用しているＩＣカード３００の有効期限が近づいていることも通知することができる。
【００６３】
また、以上の構成では、車載器１００の起動時において有効期限が切れている旨を既に通知している場合には、再びその旨の通知は実施しない。ＩＣカード３００の有効期限が切れている旨の通知は、１回の走行中において１回実施されればよく、複数回通知してしまうと、かえってユーザに煩わしさを与えてしまう恐れがある。本構成によれば、同一の内容の通知を複数回実施することに起因して、ユーザに煩わしさを与えてしまう恐れを低減することができる。
【符号の説明】
【００６４】
１００  車載器、１  制御部、２  カードスロット部、３  カードＩＦ部、４  狭域通信部（通信部）、５  ＧＮＳＳ受信機（測位電波受信機）、６  不揮発性メモリ、７  表示部、８  スピーカ、９  電源回路部、１１  カードアクセス処理部（期限情報取得部）、１２  時間情報取得部（日付取得部）、１３  日付記録処理部（記録処理部）、１４  有効期限判定部（期限判定部）、１５  通知処理部、２００  車載バッテリ、３００  ＩＣカード
【図１】
0006406132.tif 000002
【図２】
0006406132.tif 000003
【図３】
0006406132.tif 000004
【図４】
0006406132.tif 000005